(57)【要約】【課題】既存のアナログ放送を含めＩＢＯＣ放送を受信するにあたり、当該放送波を特定するための局検索（シーク）動作に要する時間を短縮することを目的とする。【解決手段】アンテナを通して受信された各放送波の中から周波数同調された放送波を選択出力するチューナ部と、シーク時に設定される周波数に対応する受信信号の電界強度レベル（Ｓメータ値）を検知するＳメータと、制御部とを備えたＩＢＯＣ放送受信機において、制御部により、チューナ部に対し受信周波数を所定のステップ単位で移行させてシーク動作を行っているときに（Ｓ１，Ｓ５，Ｓ７，Ｓ１０，Ｓ１４）、Ｓメータで検知されたＳメータ値に基づいて、当該受信周波数の信号にＩＢＯＣ放送波又はアナログ放送波が含まれていると判定したときに（Ｓ２，Ｓ１２）、当該放送波を選択出力させる（Ｓ３，Ｓ１３）。【選択図】  図３
2005005848.tif 000002
【特許請求の範囲】
【請求項１】
ＩＢＯＣ方式の変調フォーマットで伝送されてくる放送波を受信するよう適応されたＩＢＯＣ放送受信機であって、
アンテナを通して受信された各放送波の中から周波数同調された放送波を選択出力する放送選択手段と、
局検索時に設定される周波数に対応する受信信号の電界強度レベルを検知する受信電界強度検知手段と、
前記放送選択手段及び受信電界強度検知手段に動作可能に接続された制御手段とを具備し、
前記制御手段は、前記放送選択手段に対し受信周波数を所定のステップ単位で移行させて局検索を行っているときに、前記受信電界強度検知手段で検知された結果に基づいて、当該受信周波数の信号にＩＢＯＣ放送波又はアナログ放送波が含まれていると判定したときに当該放送波を選択出力させることを特徴とするＩＢＯＣ放送受信機。
【請求項２】
前記制御手段は、局検索時に設定した周波数に対して前記受信電界強度検知手段で検知された受信電界強度レベルが所定のレベル以上で、かつ、当該周波数が規定の周波数ステップに相当する場合に、当該受信周波数の信号にアナログ放送波が含まれていると判定することを特徴とする請求項１に記載のＩＢＯＣ放送受信機。
【請求項３】
前記受信電界強度検知手段は、前記制御手段により設定された周波数に対して受信電界強度レベルを複数回検知し、
前記制御手段は、該検知された複数の受信電界強度レベルの平均値を、当該周波数での受信電界強度レベル値として用いることを特徴とする請求項２に記載のＩＢＯＣ放送受信機。
【請求項４】
前記制御手段は、局検索時に設定した周波数が前記規定の周波数ステップに相当しないと判定したときに、前記放送選択手段に対し、受信周波数を、変調干渉による影響を避けるのに十分な周波数ステップだけ次の周波数に移行させることを特徴とする請求項２に記載のＩＢＯＣ放送受信機。
【請求項５】
前記制御手段は、前記変調干渉による影響を避けるのに十分な周波数ステップだけ移行された周波数と移行される前の周波数での各々の受信電界強度レベル値を比較し、両者の誤差が所定値以内にある場合に、前記放送選択手段に対し、受信周波数を、比較の対象となった２つの周波数の中間の周波数に移行させることを特徴とする請求項４に記載のＩＢＯＣ放送受信機。
【請求項６】
前記制御手段は、前記比較の対象となった２つの周波数の中間の周波数の受信信号にＩＢＯＣ放送波が含まれていると判定したときに、前記放送選択手段に対し当該ＩＢＯＣ放送波を選択出力させることを特徴とする請求項５に記載のＩＢＯＣ放送受信機。
【請求項７】
前記制御手段に動作可能に接続され、前記放送選択手段から選択出力された放送波にアナログ信号が含まれている場合に該アナログ信号を復調する第１の復調手段と、
前記制御手段に動作可能に接続され、前記放送選択手段から選択出力された放送波にデジタル変調波が含まれている場合に該デジタル変調波を復調する第２の復調手段と、
前記第１の復調手段により復調された音声信号と前記第２の復調手段により復調された音声信号とを切り替えて出力する音声出力切替手段とを更に具備することを特徴とする請求項１に記載のＩＢＯＣ放送受信機。
【請求項８】
車両に搭載されていることを特徴とする請求項１に記載のＩＢＯＣ放送受信機。
【発明の詳細な説明】
【０００１】
【発明の属する技術分野】
本発明は、デジタル音声放送（ＤＡＢ）を受信するのに適応されたラジオ放送受信機に関し、より詳細には、既存のＦＭ放送などのアナログラジオ周波数帯を利用して行うＩＢＯＣ（Ｉｎ  Ｂａｎｄ  Ｏｎ  Ｃｈａｎｎｅｌ  ）方式の変調フォーマットで伝送されてくる放送波を受信する機能を備えたＩＢＯＣ放送受信機において局検索（以下、「シーク」ともいう。）動作を最適に行うのに有用な技術に関する。
【０００２】
【従来の技術】
近年の放送のデジタル化に伴い、ラジオ放送でもデジタル化が進んでおり、衛星を利用したデジタルラジオ放送では、２００１年９月にＸＭ  Ｓａｔｅｌｌｉｔｅ（エックスエムサテライト）社、２００２年２月にＳｉｒｉｕｓ  Ｓａｔｅｌｌｉｔｅ（シリウスサテライト）社のサービスが開始されている。さらに、これらの衛星によるデジタルラジオ放送に加え、地上波のデジタルラジオ放送として、ｉＢｉｑｕｉｔｙ（アイビクイティ）社（ｉＢｉｑｕｉｔｙ  Ｄｉｇｉｔａｌ  Ｃｏｒｐｏｒａｔｉｏｎ）により「ＨＤ（Ｈｉｇｈ  Ｄｅｆｉｎｉｔｉｏｎ）ラジオ」が提案されている。このＨＤラジオは、有料となっている衛星デジタルラジオ放送に対して、コマーシャルフリーではないが無料のサービスであるため、今後の市場の拡大が予想されている。
【０００３】
このＨＤラジオの大きな特長は、既存のＦＭ放送のアナログ電波にデジタル信号を追加するＩＢＯＣ方式を採用することにより、従来のアナログ方式のラジオ受信機で同じ内容の放送を受信できると共に、デジタル受信に対応したＨＤラジオ受信機ではデジタル放送も聴取できることである。これによって、デジタルでの受信の場合、ＡＭ放送ではＦＭ放送並みの音質が得られ、ＦＭ放送ではＣＤ並みの音質が得られる。
【０００４】
典型的なＨＤラジオ（ＩＢＯＣ放送受信機）は、その基本的な機能として、デジタル受信が可能なエリア内ではデジタルで受信した信号を出力し、デジタル受信ができないエリアでは音切れなどの防止のために自動的にアナログで受信した信号を出力する。具体的には、先ず局検索（シーク）時にアナログ放送波を受信できる周波数に同調し、最初はそのアナログ放送波を復調するが、その一方で当該アナログ放送波にデジタル変調波が存在するか否か（つまり、ＩＢＯＣ放送局が存在するか否か）を判定し、デジタル変調波が存在している場合には、そのＩＢＯＣ放送波を復調し、さらに「ブレンド」と呼ばれる処理により、復調したアナログ放送波から当該ＩＢＯＣ放送波への切替を行ってそのＩＢＯＣ放送波を出力し、一方、デジタル変調波が存在していない場合には、復調したアナログ放送波をそのまま出力する。
【０００５】
ＩＢＯＣ方式を採用したデジタル音声放送（ＤＡＢ）システムでは、その放送波を伝送する方式としてハイブリッド方式とオールデジタル方式の２つがある。図１はその放送波伝送形態を示したもので、ＦＭ変調された放送信号成分とＩＢＯＣ  ＤＡＢ信号成分の各周波数割当てと電力スペクトル密度の関係を概略的に示したものである。ハイブリッド方式は、図１（ａ）に示すように、アナログ放送搬送波（ＦＭアナログ信号）の上側波帯及び下側波帯にそれぞれＩＢＯＣ  ＤＡＢ信号（デジタル変調波）を付加したアナログ／デジタル混成の方式であり、現状の技術において運用されている方式である。ＦＭアナログ信号の両側波帯に付加されるＩＢＯＣ  ＤＡＢ信号は、例えば、９５個の等間隔の直交周波数分割変調（ＯＦＤＭ）副搬送波からなり、図示のようにＦＭ中心周波数から約１２９ｋＨｚ〜１９８ｋＨｚ離れたスペクトルを占有する。また、各側波帯におけるＯＦＤＭ副搬送波のＤＡＢ出力は、典型的にはＦＭアナログ出力に対して約−２５ｄＢに設定されている。
【０００６】
一方、オールデジタル方式は、図１（ｂ）に示すように、ハイブリッド方式におけるＦＭアナログ信号が占有していた周波数帯域にも付加的なデジタル信号帯域を配置した方式であり、近い将来、ハイブリッド方式に代わって運用されるであろうと期待されている方式である。図示のように、オールデジタル方式における側波帯はハイブリッド方式における側波帯よりも幅が広く、また、オールデジタルのＩＢＯＣ信号の側波帯の電力スペクトル密度は、ハイブリッドのＩＢＯＣ側波帯で許容されるレベルよりも約１０ｄＢ高い値に設定されている。さらに、拡張オールデジタル信号の電力スペクトル密度は、ハイブリッドのＩＢＯＣ側波帯のレベルよりも約１５ｄＢ低い値に設定されている。これによって、隣接するハイブリッド又はオールデジタルのＩＢＯＣ信号への干渉問題を最小限に抑えるようにしている。
【０００７】
ＩＢＯＣ  ＤＡＢシステムは、米国において採用されている地上波デジタル放送方式を具現化したものであるが、現在、米国のＦＭ放送局は２００ｋＨｚの周波数間隔をおいて設けられているため、受信機によるシーク時の周波数ステップは２００ｋＨｚである。
【０００８】
ハイブリッド方式のＩＢＯＣ放送波（図１（ａ）参照）を受信する場合においてシーク動作を行うときは、前述したように先ずアナログ放送波を受信できる周波数に同調し、その後、ＩＢＯＣ放送波が存在するか否かを判別し、ＩＢＯＣ放送波が有ればそのＩＢＯＣ放送をデコードして出力し、無ければアナログ放送波をそのまま出力する。
【０００９】
これに対し、オールデジタル方式のＩＢＯＣ放送波（図１（ｂ）参照）を受信する場合においてシーク動作を行うときは、各周波数に一度同調してＩＢＯＣ放送波が存在するか否かを判別し、ＩＢＯＣ放送波が有ればそのＩＢＯＣ放送をデコードして出力するが、ＩＢＯＣ放送波が無ければ次の周波数に移行し、再度シーク動作を実行し、最終的にＩＢＯＣ放送波を受信できる周波数に同調するまでシーク動作を繰り返す。
【００１０】
上記の従来技術に関連する技術としては、例えば、アイビクイティ社により、ＦＭ  ＩＢＯＣ  ＤＡＢのための変調フォーマット（ハイブリッド方式、オールデジタル方式）及びかかる変調フォーマットを用いた放送方法及びシステムが開示されている（例えば、特許文献１及び特許文献２参照）。
【００１１】
【特許文献１】
特表２００１−５２０４７９号公報
【特許文献２】
特表２００２−５１０８９７号公報
【００１２】
【発明が解決しようとする課題】
上述したように従来の技術では、オールデジタル方式のＩＢＯＣ放送波を受信するためには、各周波数に一度同調してＩＢＯＣ放送局の有無を判別する処理を必要とし、さらに、受信信号にＩＢＯＣ放送波が含まれていなければ次の周波数に移行して再度シーク動作を行わなければならず、しかも、かかるシーク動作を最終的にＩＢＯＣ放送波を受信できる周波数に同調するまで繰り返さなければならない。このため、目的のＩＢＯＣ放送波を特定してその出力を行うまでに相当の時間がかかる。つまり、シーク動作を開始してから終了するまでの全シーク動作に要する時間が相対的に長くなるといった課題があった。
【００１３】
かかる課題は、ＩＢＯＣ放送受信機により本来のアナログ放送波（ハイブリッド方式におけるアナログＦＭ放送波、既存のアナログ放送波）を受信する場合にも起こり得る。
【００１４】
本発明は、かかる従来技術における課題に鑑み創作されたもので、既存のアナログ放送波を含めＩＢＯＣ放送波を受信するにあたり、当該放送波を特定するための局検索（シーク）動作に要する時間を短縮することができるＩＢＯＣ放送受信機を提供することを目的とする。
【００１５】
【課題を解決するための手段】
上述した従来技術の課題を解決するため、本発明によれば、ＩＢＯＣ方式の変調フォーマットで伝送されてくる放送波を受信するよう適応されたＩＢＯＣ放送受信機であって、アンテナを通して受信された各放送波の中から周波数同調された放送波を選択出力する放送選択手段と、局検索時に設定される周波数に対応する受信信号の電界強度レベルを検知する受信電界強度検知手段と、前記放送選択手段及び受信電界強度検知手段に動作可能に接続された制御手段とを具備し、前記制御手段は、前記放送選択手段に対し受信周波数を所定のステップ単位で移行させて局検索を行っているときに、前記受信電界強度検知手段で検知された結果に基づいて、当該受信周波数の信号にＩＢＯＣ放送波又はアナログ放送波が含まれていると判定したときに当該放送波を選択出力させることを特徴とするＩＢＯＣ放送受信機が提供される。
【００１６】
本発明に係るＩＢＯＣ放送受信機によれば、制御手段により、放送選択手段に対し受信周波数を所定のステップ単位で移行させて局検索（シーク）動作を行わせるようにしているので、従来技術に見られたように各周波数に一度同調して各放送局の有無を判別する処理を必要とするシーク動作の場合と比べて、当該放送波（既存のアナログ放送波、ＩＢＯＣ放送波）を特定するためのシーク動作に要する時間を短縮することができる。このとき、受信電界強度検知手段で検知された結果（受信電界強度レベル）に基づいて、当該放送のサービスを提供している放送局が既存のアナログ放送局なのか、あるいはＩＢＯＣ放送局なのかを判別することができる。
【００１７】
このように本発明によれば、目的の放送波（例えば、オールデジタル方式のＩＢＯＣ放送波）を受信する際に、当該放送波（例えば、ＩＢＯＣオールデジタル放送波）となる周波数を、所定のステップ単位で移行される周波数に限定することによって、シーク動作の開始から終了までに要するトータルの時間を大幅に短縮することが可能となる。
【００１８】
【発明の実施の形態】
図２は本発明の一実施形態に係るＩＢＯＣ放送受信機の構成を概略的に示したものである。
【００１９】
本実施形態に係るＩＢＯＣ放送受信機１０は、車載用として使用され、既存のＦＭ放送などのサービスを提供しているアナログ放送局から送られてくる放送波を受信すると共に、ＩＢＯＣ方式によるデジタル音声放送（ＤＡＢ）のサービスを提供しているＩＢＯＣ放送局から所定の変調フォーマットで送られてくる放送波を受信するように適応されている。ＩＢＯＣ放送局から送られてくる放送波には、前述したようにハイブリッド方式によるもの（図１（ａ）参照）と、オールデジタル方式によるもの（図１（ｂ）参照）の２つの形態があるため、便宜上、ハイブリッド方式に係るＩＢＯＣ放送局を「ハイブリッド局」、オールデジタル方式に係るＩＢＯＣ放送局を「オールデジタル局」と呼ぶことにする。
【００２０】
ＩＢＯＣ放送受信機１０において、１１はマイクロコンピュータ（マイコン）等により構成された制御部を示し、後述するように、本受信機１０が行うシーク動作に係る処理を制御する機能を有している。また、１２は各放送局から送られてくる放送波（アナログ放送波、ＩＢＯＣ放送波）を受信するためのアンテナ、１３は制御部１１との間で通信可能に接続され、アンテナ１２を通して受信された放送波に対して周波数同調を行うためのチューナ部（ＲＦフロントエンド）、１４はチューナ部１３から選択出力された放送波をデジタル化するアナログ／デジタル（Ａ／Ｄ）変換部を示す。
【００２１】
また、１５は制御部１１との間で通信可能に接続されたＦＭ復調部を示し、基本的には、チューナ部１３からＡ／Ｄ変換部１４を通して選択出力された放送波にＦＭアナログ信号が含まれている場合にそのＦＭアナログ信号をデジタル的に復調する機能を有している。さらに、ＦＭ復調部１５にはＳメータ１５ａが内蔵されており、制御部１１からの制御に基づいて局検索（シーク）時に設定される周波数（すなわち、後述するように所定のステップ単位で移行される周波数）に対応する受信信号の電界強度レベル（「Ｓメータ値」ともいう。）を検知する。本実施形態ではＳメータ１５ａをＦＭ復調部１５に内蔵させた場合を例にとっているが、これは必ずしもＦＭ復調部１５に内蔵させる必要はなく、例えば、チューナ部１３に内蔵させるようにしてもよい。
【００２２】
また、１６は制御部１１との間で通信可能に接続されたＩＢＯＣデコーダを示し、ＩＢＯＣデジタル音声放送（ＤＡＢ）システムにおいては周知の機能ブロックを有している。図示の例では、ＩＢＯＣデコーダ１６は、チューナ部１３からＡ／Ｄ変換部１４を通して選択出力された放送波にデジタル変調波（すなわち、直交周波数分割変調（ＯＦＤＭ）副搬送波）が含まれている場合にそのＯＦＤＭ副搬送波を復調するＯＦＤＭ復調部１６ａと、放送局側において行われたデジタル符号化や音声圧縮などに起因して付加されたフォワードエラー訂正（ＦＥＣ）をデコードするためのＦＥＣデコーダ１６ｂと、オーディオデコーダ１６ｃとを有している。ＯＦＤＭ復調部１６ａは、上記のように選択出力された放送波にＯＦＤＭ副搬送波（デジタル変調波）が含まれている場合にその復調機能を発揮する。その意味で、このＯＦＤＭ復調部１６ａの出力は、デジタル変調波への同期がとれたことを指示している。
【００２３】
ＩＢＯＣデコーダ１６（オーディオデコーダ１６ｃ）から出力される信号は、ブレンド制御信号ＢＣとしてブレンド処理部１７に供給され、そのブレンド機能を制御する。このブレンド処理部１７は、基本的には、ブレンド制御信号ＢＣの状態（すなわち、レベル）に基づいて、ＦＭ復調部１５を通して復調された音声信号（アナログ放送波）から当該ＩＢＯＣ放送波（デジタル変調波）への切替を行って出力する機能を有している。なお、制御部１１は、ＩＢＯＣデコーダ１６との間で行う通信により、ブレンド制御信号ＢＣの状態（レベル）を直接モニタすることも可能である。
【００２４】
また、１８はブレンド処理部１７を通して出力されたデジタル化された音声信号をアナログ音声信号に変換するデジタル／アナログ（Ｄ／Ａ）変換部を示す。このＤ／Ａ変換部１８からのオーディオ出力は、特に図示はしていないが、オーディオアンプを通して増幅された後、スピーカを介してユーザに受聴される。また、１９は制御部１１に接続されたＲＡＭなどのメモリ部を示し、このメモリ部１９には、受信できる放送局（アナログ局、ハイブリッド局又はオールデジタル局）の放送周波数に関するデータが格納されており、さらに、制御部１１からの制御に基づいて、ＦＭ復調部１５におけるＳメータ１５ａによって検知された受信信号の電界強度レベル（Ｓメータ値）のデータが一時格納される。
【００２５】
以上のように構成された本実施形態に係るＩＢＯＣ放送受信機１０において、制御部１１は「制御手段」に、チューナ部１３は「放送選択手段」に、ＦＭ復調部１５は「第１の復調手段」に、ＦＭ復調部１５に内蔵されたＳメータ１５ａは「受信電界強度検知手段」に、ＩＢＯＣデコーダ１６は「第２の復調手段」に、ブレンド処理部１７は「音声出力切替手段」にそれぞれ対応している。
【００２６】
以下、本実施形態に係るＩＢＯＣ放送受信機１０が行う局検索（シーク）及び放送受信に係る処理について、その一例を示す図３及び図４を参照しながら説明する。なお、本処理フローにおいては、シーク時の１回の周波数ステップを１００ｋＨｚとする。
【００２７】
先ず図３を参照すると、最初のステップＳ１では、制御部１１からの制御に基づいてチューナ部１３により、設定された周波数（所定のステップ単位で移行された周波数）への同調を行う（シーク動作開始）。
【００２８】
次のステップＳ２では、制御部１１において、当該周波数でのＳメータ値が所定のレベル（シーク停止レベル）以上で、かつ、当該周波数が規定の周波数ステップ（この場合、ＵＳＡ規定の周波数ステップ：２００ｋＨｚ）に相当する（ＹＥＳ）か否（ＮＯ）かを判定する。判定結果がＹＥＳ（例えば、図４の例では９８．１ＭＨｚ）の場合にはステップＳ３に進み、判定結果がＮＯ（例えば、図４の例では９８．２ＭＨｚ）の場合にはステップＳ４に進む。
【００２９】
ステップＳ３では、制御部１１からの制御に基づいてチューナ部１３により、シーク停止動作を行い、ハイブリッド局又は既存のアナログＦＭ局の放送波（アナログ放送波）を受信する。そして、本処理フローは「終了」となる。
【００３０】
一方、ステップＳ４では、制御部１１により、ステップＳ２で検知された当該周波数（この場合、９８．２ＭＨｚ）でのＳメータ値のデータをメモリ部１９に一時格納する。この場合、メモリ部１９には、ステップＳ２の処理終了後に制御部１１からの制御に基づいて所定の時間間隔で複数回（本実施形態では計３回）Ｓメータ値を検知し、その平均値をとったものが格納される。このように３回検知してその平均値をとる理由は、受信状態は時間の経過とともに変化し易く、それに応じて受信信号の電界強度レベル（Ｓメータ値）も変動するおそれがあり、１回の検知データよりも複数回の検知データの平均値をとった方が信頼性が高いからである。
【００３１】
次のステップＳ５では、制御部１１からの制御に基づいてチューナ部１３に対し、受信周波数（この場合、９８．２ＭＨｚ）を２ステップ（２００ｋＨｚ）次の周波数（すなわち、９８．４ＭＨｚ）に移行させる。
【００３２】
次のステップＳ６では、制御部１１において、当該周波数（この場合、９８．４ＭＨｚ）でのＳメータ値が所定のレベル（シーク停止レベル）以上にある（ＹＥＳ）か否（ＮＯ）かを判定する。判定結果がＹＥＳの場合にはステップＳ８に進み、判定結果がＮＯの場合にはステップＳ７に進む。
【００３３】
ステップＳ７では、制御部１１からの制御に基づいてチューナ部１３に対し、受信周波数（この場合、９８．４ＭＨｚ）を１ステップ（１００ｋＨｚ）次の周波数（すなわち、９８．５ＭＨｚ）に移行させる。この後、ステップＳ１に戻って上記の処理を繰り返す。
【００３４】
一方、ステップＳ８では、ステップＳ４で行った処理と同様にして制御部１１により、ステップＳ６で検知された当該周波数（この場合、９８．４ＭＨｚ）でのＳメータ値のデータをメモリ部１９に一時格納する。この場合、同様にして、メモリ部１９には、Ｓメータ値を３回検知してその平均値をとったものが格納される。
【００３５】
次のステップＳ９では、制御部１１において、メモリ部１９に格納されている２つのＳメータ値のデータ（すなわち、図４の例では周波数９８．２ＭＨｚでのＳメータ値と、周波数９８．４ＭＨｚでのＳメータ値の各データ）を参照し、両者を比較してその誤差が５００ｍＶ以内にある（ＹＥＳ）か否（ＮＯ）かを判定する。つまり、２つの周波数でのＳメータ値（受信信号の電界強度レベル）が互いに近似したレベル（仮に誤差が有っても高々５００ｍＶ程度）にあるか否かを判定する。そして、判定結果がＹＥＳの場合にはステップＳ１１に進み、判定結果がＮＯの場合にはステップＳ１０に進む。
【００３６】
ステップＳ１０では、ステップＳ７で行った処理と同様にして、制御部１１からの制御に基づいてチューナ部１３に対し、受信周波数（この場合、９８．４ＭＨｚ）を１ステップ（１００ｋＨｚ）次の周波数（すなわち、９８．５ＭＨｚ）に移行させる。この後、ステップＳ１に戻って上記の処理を繰り返す。
【００３７】
一方、ステップＳ１１では、制御部１１からの制御に基づいてチューナ部１３に対し、ステップＳ９において比較の対象となった２つの周波数（この場合、９８．２ＭＨｚと９８．４ＭＨｚ）の中間の周波数（すなわち、９８．３ＭＨｚ）に移行させる。
【００３８】
次のステップＳ１２では、制御部１１において、ＩＢＯＣデコーダ１６との間で行う通信に基づき、ＩＢＯＣ  ”Ａｃｑｕｉｒｅ”（ＩＢＯＣ局の有無を確認するためのコマンド）を使用してＩＢＯＣ放送波の有無を判断し、当該受信周波数の信号にＩＢＯＣ放送波が含まれている（ＹＥＳ）か否（ＮＯ）かを判定する。判定結果がＹＥＳの場合にはステップＳ１３に進み、判定結果がＮＯの場合にはステップＳ１４に進む。
【００３９】
ステップＳ１３では、ステップＳ３で行った処理と同様にして、制御部１１からの制御に基づいてチューナ部１３により、当該ＩＢＯＣ局の放送波（オールデジタル放送波）を受信する。そして、本処理フローは「終了」となる。
【００４０】
一方、ステップＳ１４では、ステップＳ５で行った処理と同様にして、制御部１１からの制御に基づいてチューナ部１３に対し、受信周波数を２ステップ（２００ｋＨｚ）次の周波数に移行させる。この後、ステップＳ１に戻って上記の処理を繰り返す。
【００４１】
以上説明したように、本実施形態に係るＩＢＯＣ放送受信機１０によれば、制御部１１からの制御に基づいて、チューナ部１３に対し受信周波数を所定のステップ（１００ｋＨｚ又は２００ｋＨｚ）単位で移行させてシーク動作を行わせるようにしているので、従来のように各周波数に一度同調して各放送局の有無を判別する処理を必要とするシーク動作の場合と比べて、当該放送波（既存のアナログ放送波、ＩＢＯＣ放送波）を特定するためのシーク動作に要する時間を短縮することができる。このとき、制御部１１は、ＦＭ復調部１５との通信を介してＳメータ１５ａで検知された受信電界強度レベル（Ｓメータ値）をモニタすることで、当該放送のサービスを提供している放送局が既存のアナログＦＭ局なのか、あるいはＩＢＯＣ局なのかを判別することができる。
【００４２】
このように本実施形態のＩＢＯＣ放送受信機１０によれば、目的の放送波（例えば、オールデジタル方式のＩＢＯＣ放送波）を受信する際に、当該放送波（例えば、ＩＢＯＣオールデジタル放送波）となる周波数を、所定のステップ（１００ｋＨｚ又は２００ｋＨｚ）単位で移行される周波数に限定することによって、シーク動作の開始から終了までに要するトータルの時間を大幅に短縮することができる。
【００４３】
また、ステップＳ２（図３）において当該周波数が規定の周波数ステップに相当しないと判定したときに、ステップＳ５においてチューナ部１３に対し、受信周波数を２ステップ（２００ｋＨｚ）次の周波数に移行させるようにしている。２ステップ（２００ｋＨｚ）次の周波数に移行させる理由は、いわゆるインター・モジュレーション（変調干渉）の影響によって本来放送局の存在しない周波数に信号スペクトルが発生し、その信号スペクトルを誤って検出しないようにするためである。
【００４４】
上述した実施形態では、シーク時の１回の周波数ステップを１００ｋＨｚとした場合を例にとって説明したが（図３）、本発明の要旨から明らかなように、１回の周波数ステップが１００ｋＨｚに限定されないことはもちろんである。
【００４５】
【発明の効果】
以上説明したように本発明によれば、受信信号の電界強度をモニタしながら受信周波数を所定のステップ単位で移行させてシーク動作を行うことにより、既存のアナログ放送波を含めＩＢＯＣ放送波を受信するにあたり、当該放送波を特定するためのシーク動作に要する時間を短縮することが可能となる。
【図面の簡単な説明】
【図１】ＩＢＯＣデジタル音声放送（ＤＡＢ）システムにおいて用いられる放送波伝送方式（ハイブリッド方式、オールデジタル方式）の説明図である。
【図２】本発明の一実施形態に係るＩＢＯＣ放送受信機の構成を概略的に示すブロック図である。
【図３】図２のＩＢＯＣ放送受信機が行う局検索（シーク）及び放送受信に係る処理の一例を示すフロー図である。
【図４】図３の処理フローを補足説明するための図である。
【符号の説明】
１０…ＩＢＯＣ放送受信機、
１１…制御部（制御手段）、
１２……アンテナ、
１３…チューナ部（放送選択手段）、
１５…ＦＭ復調部（第１の復調手段）、
１５ａ…Ｓメータ（受信電界強度検知手段）、
１６…ＩＢＯＣデコーダ（第２の復調手段）、
１７…ブレンド処理部（音声出力切替手段）、
ＢＣ…ブレンド制御信号。
【図１】
2005005848.tif 000003
【図２】
2005005848.tif 000004
【図３】
2005005848.tif 000005
【図４】
2005005848.tif 000006